(57)【要約】【課題】濾布の繊維中に保持された固形分までも迅速・容易・安価に除去できる技術を提供する。【解決手段】スラリーを濾布９を介して脱水した後、濾布９に付着したケーキを乾燥空気等により強制乾燥させ、しかる後、濾布９および濾布に付着している乾燥ケーキに外力を与え、濾布９から乾燥ケーキＣ１を脱落させるようにする。【選択図】図４
2005131508.tif 000002
【特許請求の範囲】
【請求項１】
スラリーを濾布を介して脱水した後、濾布に付着したケーキを強制乾燥させ、しかる後、濾布および濾布に付着している乾燥ケーキに外力を与え、濾布から乾燥ケーキを脱落させる、ことを特徴とする濾布を用いた脱水における濾布付着ケーキ除去方法。
【請求項２】
複数の濾板を対向配置し、濾板間に一対の濾布を配置した状態で濾板相互を締め付けて密着させ、濾板間に濾室を形成する締め付け工程と、
前記濾板間の濾布間にスラリーを供給し、液分を濾布を介して排出させて濾布間にケーキを形成する濾過工程と、
濾板相互および濾布相互を離間させ、濾布間に形成されたケーキを落下排出する、開放排出工程と、
濾布を強制乾燥させた後、濾布および濾布に付着している乾燥ケーキに外力を与え、濾布から乾燥ケーキを脱落させる濾布再生工程と、
を含むことを特徴とするフィルタープレスによる脱水方法。
【請求項３】
前記濾布再生工程に際し、ケーキが付着した濾布に対して乾燥空気、加熱空気、加熱乾燥空気のいずれかを接触させることにより前記強制乾燥を行う、請求項２記載のフィルタープレスによる脱水方法。
【請求項４】
前記濾布再生工程に際し、前記濾板を締め付けて濾板間に濾室を形成するとともに、濾室内に濾布を対向配置した状態で前記強制乾燥を行う請求項３記載のフィルタープレスによる脱水方法。
【請求項５】
前記濾布に対して接触させる空気の温度を１５〜９０℃とする、請求項３または４記載のフィルタープレスによる脱水方法。
【請求項６】
前記濾布再生工程に際し、濾布に対して振動を与える又は濾布を曲げることにより、濾布から乾燥ケーキを脱落させる、請求項３〜５のいずれか１項に記載のフィルタープレスによる脱水方法。
【請求項７】
前記濾布再生工程を除く脱水作業を繰り返し行うとともに、所定時間経過後に自動的に前記濾布再生工程を割り込ませ、濾布の再生を図る、請求項２〜６のいずれか１項に記載のフィルタープレスによる脱水方法。
【請求項８】
対向配置された複数の濾板と、
これら濾板間に配置された一対の濾布と、
濾板相互を密着させ、濾板間に濾室を形成する締め付け手段と、
前記濾板間の濾布間にスラリーを供給し、液分を濾布を介して排出させて濾布間にケーキを形成する濾過手段と、
濾板相互および濾布相互を離間させ、濾布間に形成されたケーキを落下排出する、開放排出手段と、
濾布を強制乾燥させた後、濾布および濾布に付着している乾燥ケーキに外力を与え、濾布から乾燥ケーキを脱落させる濾布再生手段と、
を含むことを特徴とするフィルタープレス装置。
【発明の詳細な説明】
【技術分野】
【０００１】
本発明は、濾布を用いた脱水において濾布に付着したケーキを除去するための技術に関するものである。
【背景技術】
【０００２】
濾布を用いた脱水機、例えばフィルタープレスのような横型加圧脱水機においては、１サイクル１時間程度で脱水される短時間型や、１サイクル２４時間かけて脱水する長時間型のものがあり、いずれにせよ、１サイクル又は数サイクルの間に濾布を洗浄し、濾布の目詰まりを防止する必要がある。
【０００３】
このため、従来から、洗浄液を濾布表面に供給し、濾布表面に付着したケーキを洗い流すことが行われている（例えば、特許文献１参照）。また、濾布の目詰まりを防止する対策として、濾布の水洗後に次の脱水作業開始までの間、濾布にシャワーリングを行い、濾布を湿潤状態に保つ技術も提案されている。ただし、上記洗浄だけでは濾布の繊維間に侵入し保持されている固形分までは除去できず、次第に目詰まりが進行するため、ある程度の期間が経過したとき、濾布を再生するべく、薬液洗浄や高圧洗浄をおこなっていた。
【０００４】
しかしながら、上記従来方法では、サイクル毎の洗浄を行っているにもかかわらず再生のための洗浄も必要であり、作業が煩雑となっていた。また、濾布の再生処理における時間、労力、薬品等のユーティリティコストが嵩んでいた。
【特許文献１】特開平２−５４１２７号公報
【特許文献２】特許２５８６８７０号公報
【特許文献３】特開２００１−２５６１２号公報
【発明の開示】
【発明が解決しようとする課題】
【０００５】
そこで、本発明が解決しようとする課題は、濾布の繊維中に保持された固形分までも迅速・容易・安価に除去できる技術を提供することにある。
【課題を解決するための手段】
【０００６】
上記課題を解決した本発明は次記のとおりである。
＜請求項１記載の発明＞
スラリーを濾布を介して脱水した後、濾布に付着したケーキを強制乾燥させ、しかる後、濾布および濾布に付着している乾燥ケーキに外力を与え、濾布から乾燥ケーキを脱落させる、ことを特徴とする濾布を用いた脱水における濾布付着ケーキ除去方法。
【０００７】
（作用効果）
本発明者らは、液体により洗い流すという洗浄一般の考え方から脱して鋭意研究を行った結果、濾布を強制乾燥した後に振動や屈曲等の外力を与えることにより、濾布表面のみならず、濾布の繊維間に保持されている固形分までも効果的に除去できることを知見し、本発明をなすに至ったものである。本発明では強制乾燥を行うことにより、前述したようなフィルタープレスのサイクル毎の洗浄のように、短時間での処理が要求されるような場合にも適用できる利点がある。しかしもちろん、本発明の除去方法はサイクル毎の洗浄のみならず、濾布の再生のみに適用してサイクル毎の洗浄を洗浄液により行う方法や、洗浄液による洗浄と併用することもできる。
【０００８】
＜請求項２記載の発明＞
複数の濾板を対向配置し、濾板間に一対の濾布を配置した状態で濾板相互を締め付けて密着させ、濾板間に濾室を形成する締め付け工程と、
前記濾板間の濾布間にスラリーを供給し、液分を濾布を介して排出させて濾布間にケーキを形成する濾過工程と、
濾板相互および濾布相互を離間させ、濾布間に形成されたケーキを落下排出する、開放排出工程と、
濾布を強制乾燥させた後、濾布および濾布に付着している乾燥ケーキに外力を与え、濾布から乾燥ケーキを脱落させる濾布再生工程と、
を含むことを特徴とするフィルタープレスによる脱水方法。
【０００９】
（作用効果）
本項記載の発明は、フィルタープレスによる脱水方法における洗浄工程に代わるものとして、本発明の強制乾燥による濾布再生技術を応用したものである。
【００１０】
＜請求項３記載の発明＞
前記濾布再生工程に際し、ケーキが付着した濾布に対して乾燥空気、加熱空気、加熱乾燥空気のいずれかを接触させることにより前記強制乾燥を行う、請求項２記載のフィルタープレスによる脱水方法。
【００１１】
（作用効果）
本発明の強制乾燥方法としては、ケーキが付着した濾布に対して乾燥空気、加熱空気、加熱乾燥空気のいずれかを接触させる手法が、既存装置への組み込みの容易性、ユーティリティコストの面で特に好ましい。
【００１２】
＜請求項４記載の発明＞
前記濾布再生工程に際し、前記濾板を締め付けて濾板間に濾室を形成するとともに、濾室内に濾布を対向配置した状態で前記強制乾燥を行う請求項３記載のフィルタープレスによる脱水方法。
【００１３】
（作用効果）
濾板を開枠した状態で乾燥空気等を用いると、外部に熱が逃げエネルギー効率が低下するため、本項記載のように、強制乾燥のために濾板を閉枠し、密閉空間内で濾布に対して乾燥空気等を供給する形態を採用するのが好ましい。
【００１４】
＜請求項５記載の発明＞
前記濾布に対して接触させる空気の温度を１５〜９０℃とする、請求項３または４記載のフィルタープレスによる脱水方法。
【００１５】
（作用効果）
濾布に対して接触させる空気の温度は、適宜選択すれば良いが、１５℃未満では自然乾燥と殆ど変わりが無く、乾燥効率が低いため好ましくない。また、９０℃を超えると濾布を傷めるおそれがあるため好ましくない。
【００１６】
＜請求項６記載の発明＞
前記濾布再生工程に際し、濾布に対して振動を与える又は濾布を曲げることにより、濾布から乾燥ケーキを脱落させる、請求項３〜５のいずれか１項に記載のフィルタープレスによる脱水方法。
【００１７】
（作用効果）
濾布に付着した乾燥ケーキはスクレーパやブラシ等を濾布に接触させて脱落させることもできるが、濾布吊り下げ型のフィルタープレス装置には濾布からのケーキ脱落を促すための濾布振動機構が備わっており、また濾布走行型のものでは濾布をロールで巻き取る機構が備わっているため、これら利用してすることにより新たな機器構成を必要とせずに、濾布に対して振動を与える又は濾布を曲げることにより乾燥ケーキの脱落を図ることができる。
【００１８】
＜請求項７記載の発明＞
前記濾布再生工程を除く脱水作業を繰り返し行うとともに、所定時間経過後に自動的に前記濾布再生工程を割り込ませ、濾布の再生を図る、請求項２〜６のいずれか１項に記載のフィルタープレスによる脱水方法。
【００１９】
（作用効果）
このように、所定期間、例えば一日に一回等、本発明の強制乾燥による濾布再生工程を介在させることにより、最小限度のメンテナンス時間で目詰まりの進行を確実に抑制できるようになる。
【００２０】
＜請求項８記載の発明＞
対向配置された複数の濾板と、
これら濾板間に配置された一対の濾布と、
濾板相互を密着させ、濾板間に濾室を形成する締め付け手段と、
前記濾板間の濾布間にスラリーを供給し、液分を濾布を介して排出させて濾布間にケーキを形成する濾過手段と、
濾板相互および濾布相互を離間させ、濾布間に形成されたケーキを落下排出する、開放排出手段と、
濾布を強制乾燥させた後、濾布および濾布に付着している乾燥ケーキに外力を与え、濾布から乾燥ケーキを脱落させる濾布再生手段と、
を含むことを特徴とするフィルタープレス装置。
【００２１】
（作用効果）
請求項２記載の発明と同様の作用効果が奏せられる。
【発明の効果】
【００２２】
以上のとおり本発明によれば、濾布の繊維中に保持された固形分までも迅速・容易・安価に除去できるようになる。
【発明を実施するための最良の形態】
【００２３】
以下、本発明の実施形態について添付図面を参照しつつ詳説する。
＜第１の形態＞
図１〜図５は第１の形態を示しており、濾布固定型のフィルタープレス装置を用いる形態である。先ず、図１及び図２に基づいて装置構成について説明する。図１はフィルター機構部１を示しており、この機構部１には横方向に間隔をおいて配置された固定フレーム２とルーズヘッド３との間に、濾板４が縦方向に沿う姿勢で横方向に複数並設されている。これらの濾板４は上部に設けられた支持リンク５により相互連結されるとともに、その両側に配された主梁６により並設方向に移動自在に支持されており、濾板駆動装置７により一体的に移動され、濾板４相互の接触および離間（開枠）が可能となっている。また、この移動後の濾板４相互の接触状態において、締付けシリンダ８によりルーズヘッド３が締め付けられると、濾板４相互が密着され、閉枠されるようになっている。
【００２４】
図３に示されるように。濾板４の両面には、周縁の肉厚部をなす額縁部４Ａおよびこれにより囲まれた中央の凹部４Ｂが形成されており、閉枠時には対向する凹部４Ｂ，４Ｂにより濾室４Ｃが形成されるようになっている。凹部４Ｂの表面には濾液溝（図示せず）が形成されている。この濾液溝は、濾布９との間に濾液通過のための間隙を形成するための手段を構成する。濾板４の凹部４Ｂには一方側から他方側に貫通する貫通口４Ｅが形成されており、この貫通口４Ｅが濾板４群の一方側から外部のスラリー入口１０に連通されており、また濾板４群の他方側からは外部のエアー供給口１１に連通されている。また、濾板４下部の側部には排出口４Ｆが形成されており、濾液はここから濾液パン１２に落下排出された後、濾液パン１２に形成された濾液出口１２Ａを介して排出されるようになっている。また濾板４下方にはケーキを受けて移送排出するためのコンベヤ１３が設けられている。
【００２５】
濾板４の両側には濾布９がそれぞれ配置されており、これら両側の濾布９は濾板貫通口４Ｅに挿しとおされた筒状部９ａにより連結され、その連結部が濾布供給口として開口されている。濾布９は下部が濾板４に固定されており、上部は前述の支持リンク５に対して線材５ｗを介して吊り下げられている。また固定側フレーム２にはケーキ振り落とし装置１４が設けられており、このケーキ振り落とし装置１４により支持リンク５を介して濾布９が上下動されるようになっている。
【００２６】
これらの装置機構部１に対して、図２に示すように、スラリー供給手段および乾燥手段が接続される。具体的には、スラリーを一時的に貯留するスラリータンク２０が設けられ、その貯留スラリーがスラリーポンプ２１によってスラリー入口１０に対して供給されるようになっている。また、エアコンプレッサ３０およびそこから供給される圧縮空気を一時的に貯留するエアータンク３１が設置されており、エアータンク３１の出側はスラリー圧入タンク３２およびエアー供給口１１にそれぞれ連通されている。スラリー圧入タンク３２の出側はスラリーポンプ２１とスラリー入口１０との間に連通される。スラリー入口１０はスラリータンク２０と直接に連通されており、バルブＶ１，Ｖ２によりスラリーポンプ２１またはスラリータンク２０との連通状態が切り替え可能に構成されている。
【００２７】
さらに、本発明に従ってスラリー入口１０に対しては、バルブＶ３を介して強制乾燥手段４０が接続されている。強制乾燥手段４０としては、乾燥空気、加熱空気または乾燥加熱空気を供給する装置の他、真空ポンプ等の空気吸引装置、脱湿装置も用いることができる。図１６は、乾燥空気等供給装置の一例を示しており、エアコンプレッサや送風ファン等の空気供給手段２００からの空気を圧縮空気タンク２０１に一時的に貯留した後に、利用先へ供給するものである。予め乾燥された又は加熱された空気を供給する場合には、圧縮空気タンク２０１を省略して直接に供給することも可能である。乾燥空気を供給する場合、除湿機２０２を用いることができる。除湿機２０２は、図示形態では空気供給手段２００と圧縮空気タンク２０１との間に介在されている。また、加熱空気を供給する場合、圧縮空気タンク２０１に加熱手段２０３を設け、タンク２０１内の空気を連続的に加熱することもできる。加熱手段２０３としては、例えば蒸気や温水等の加熱媒体を熱源とする熱交換器や燃料や電気によるヒータを用いることができ、タンク内に設けるタイプのものでも、タンク外周面に設けるジャケット式のものも使用できる。
【００２８】
本発明の乾燥空気としては、湿度５０％以下に乾燥させたものを好適に用いることができる。加熱空気としては、蒸気等の熱源により温度１５〜９０℃程度、特に３０〜９０℃程度に加熱した空気を好適に用いることができる。乾燥加熱空気としては、これら湿度範囲及び温度範囲のものを好適に用いることができる。
【００２９】
次に、上記装置を用いた脱水方法について図３に基づき説明する。先ず、濾板４，４相互を接触させ、締付けシリンダ８を作動させて、濾板４，４相互の密着により濾板４，４間に濾室４Ｃを形成する。次いで、バルブＶ１を開け、バルブＶ２，Ｖ３を閉じた状態でスラリーポンプ２１を作動させ、スラリーを各濾室４Ｃの濾布９，９間に供給する。濾布９，９間に供給されたスラリーは、後から供給されてくるスラリーの供給圧により圧力を受け、液分が濾布９，９を介して濾布外へ排出される。この濾液は濾板４表面の濾液溝を通り、排出口４Ｆを介して濾液パン１２に落下し、濾液出口１２Ａを介して外部に排出される。かかる濾過工程に際して、必要に応じて濾過圧力を高めるためにスラリー圧入タンク３２から圧縮空気をスラリー入口１０に供給することができる。
【００３０】
濾過が完了したならば、バルブＶ１を閉じ、バルブＶ２を開けて、スラリー入口１０をスラリータンク２０に直結するとともに、エアータンク３１からの圧縮空気をエアー供給口１１を介してスラリー供給経路に対し供給し、スラリー供給方向とは反対向きに圧縮エアーをブローする。これにより、スラリー供給経路に残留した未脱水スラリーがスラリータンク２０に返送される。
【００３１】
ブロー工程が終了したならば、圧縮エアーの供給を停止して開枠を行う。すなわち、締め付けシリンダ８が開放された後、濾板駆動装置７により濾板４，４が離間移動され、濾布９，９間に形成されたケーキＣは自然落下し、排出される。必要に応じてケーキ振り落とし装置１４により濾布９の支持リンク５が上下動され、濾布４表面に付着している比較的大きなケーキ片が排出される。
【００３２】
かくして、上記各工程を１サイクルとして繰り返し脱水作業が行われる。そして、各サイクル毎または複数サイクル毎に、ケーキ排出工程と次の脱水作業における締付け工程との間において、本発明に係る濾布再生工程が行われる。すなわち、ケーキ排出が完了したならば、一旦濾板を閉枠した後、バルブＶ１，Ｖ２を閉じ、バルブＶ３を開けて乾燥空気等をスラリー入口１０から濾布９，９間に供給する。この乾燥空気等の供給により、濾布９に付着したケーキが強制的に乾燥される。乾燥空気等の供給に際して濾板を閉枠しなくても良いが、濾板４，４を閉枠した方が乾燥効率が向上する。所定時間経過し乾燥が完了したならば、ケーキ排出工程と同様に濾板４，４を開枠した後、ケーキ振り落とし装置１４により濾布９の支持リンク５を上下動させ、濾布９に振動を与える。この振動により、濾布表面および内部に対する乾燥ケーキの付着構造が破壊され、乾燥ケーキ片Ｃ１がボロボロと落下し排出される。
【００３３】
他方、図５に示すように、各サイクル毎または複数サイクル毎に、ケーキ排出工程と次の脱水作業における締付け工程との間において（本発明の濾布再生工程を行う場合にはこれに先立って）、洗浄水を用いた従来の洗浄を行うこともできる。図示形態では、濾板４の下方に上下に伸縮自在の洗浄配管５１を有する洗浄台車５０が設けられ、この洗浄台車５０は台車駆動装置５２により濾板４並設方向に移動自在とされており、また洗浄配管５１に対して連通された洗浄液供給口５３が設けられている。ケーキ排出後の開枠状態において、洗浄台車５０が濾板４，４間の下方に移動され、その洗浄配管５１が濾板４，４間に挿入され、濾布９表面に対して洗浄液がスプレーされるように構成されている。かかる洗浄液による洗浄を併用する場合、例えば、各サイクル毎に洗浄水による洗浄工程を行うとともに、必要に応じて又は定期的に（例えば一日、一週間または一ヶ月に一回）、上記本発明に係る濾布再生工程を行うことができる。
【００３４】
＜第２の形態＞
図４〜図６に示す第２の形態は、上記第１の形態と同様、濾布固定型のフィルタープレス装置を用いるものであるが、圧搾機構付きである点で相違するものである。すなわち各濾板４の一方側の凹部４Ｂ内に板状のダイアフラム４Ｄを貼り付け、このダイアフラム４Ｄの裏面と濾板４との間４ｓに圧力水を供給するための圧力水給排路４Ｇを形成し、各濾板４の圧力水給排路４Ｇを外部の圧力水出入口１５に連通させている。圧力水出入口１５にはそれぞれバルブＶ４，Ｖ５を介して圧力水タンク６０および圧力水ポンプ６１に接続されている。圧力水ポンプ６１は圧力水タンク６０に接続されており、圧力水タンク６０に貯留された水を圧力水出入口１５に対して圧送するように構成されている。また、ダイアフラム４Ｄの濾布側表面には濾液溝ｄなどの濾液通路形成手段が設けられる。その他の装置構成は、前述の第１の形態と同様であるため、図中に同じ符号を付して説明は省略する。
【００３５】
脱水に際しては、第１の形態と同様の濾過工程を行い、所定時間経過後にスラリー供給ポンプ２１を停止させた後、圧力水ポンプ６１を作動させるとともに、バルブＶ４を開けてダイアフラム４Ｄ内へ圧力水を供給し、ダイアフラム４Ｄを膨出させる。これにより濾布９，９間のろ過ケーキはさらに圧搾されて低水分ケーキとなる。ダイアフラム４Ｄ内の圧力水は次工程で排出される。圧搾工程以外は本発明に係る濾布再生部分も含めて第１の形態と同様であるため説明は省略する。図９および図１０は第２の形態における濾布再生工程および洗浄工程をそれぞれ示したものである。かかるタイプのフィルタープレス装置に対しても本発明を適用できる。
【００３６】
＜第３の形態＞
図１１〜図１５に示す第３の形態は、圧搾機構付きの濾布走行型フィルタープレス装置を用いる形態である。先ず、図１１〜図１３に基づいて装置構成について説明する。図１１はフィルター機構部１を示しており、この機構部１には、横方向に間隔をおいて配置された固定フレーム２とルーズヘッド３との間に、濾板４が縦方向に沿う姿勢で横方向に複数並設されている。これらの濾板４は両側部に設けられた図示しない連結部材により相互連結されるとともに、その両側に配された主梁６により並設方向に移動自在に支持されており、濾板駆動装置７により一体的に移動され、濾板４相互の接触および離間（開枠）が可能となっている。また、この移動後の濾板４相互の接触状態において、図示しない締付けシリンダ８によりルーズヘッド３が締め付けられると、濾板４相互が密着され、閉枠されるようになっている。
【００３７】
濾板４の両面には、周縁の肉厚部をなす額縁部４Ａおよびこれにより囲まれた中央の凹部４Ｂとが形成されるとともに、一方側の凹部４Ｂ内に板状のダイアフラム４Ｄが貼り付けられており、閉枠時には対向する凹部４Ｂとダイアフラム４Ｄとにより濾室４Ｃが形成されるようになっている。これら凹部４Ｂおよびダイアフラム４Ｄの濾室４Ｃ側面には濾液溝ｄが形成されており、この濾液溝ｄは濾板４の下部額縁部に形成された濾液排出口４Ｆを介して外部に形成された濾液出口１２Ａに連通されている。また濾板４の下部額縁部には、ダイアフラム４Ｄとこれに対向する濾板４表面との間に連通する圧力水給排路４Ｇが形成されており、この圧力水給排路４Ｇは外部に設けられた圧力水入口１５Ａおよび出口１５Ｂに連通されている。さらに、濾板４の上部額縁部におけるダイアフラム４Ｄとの対向面にはスラリー供給路４ｉが開口しており、このスラリー供給路４ｉに対してはスラリー供給ヘッダＨを介して、外部に設けられたスラリー入口１０および圧縮空気入口１６がそれぞれ連通されている。またスラリー供給ヘッダＨにはヘッダ洗浄水入口１７および出口１８がそれぞれ連通されている。これら供給ヘッダＨの各入口および出口１０，１６〜１８には経路切り替えのためのバルブ１０Ｖ、Ｖ５、Ｖ４、１６Ｖ〜１８Ｖがそれぞれ介在されている。また、濾板４下方には、ケーキの排出コンベア１３が設けられている。
【００３８】
濾板４間には、一対の濾布９，９が配される。濾板４の上部には濾布駆動装置７０が設けられており、これら一対の濾布９，９の上端部はこの濾布駆動装置７０により昇降自在なように吊り下げ支持されている。また、図１３にも示すように、一方の濾布９の上部には濾板額縁部濾板上部のスラリー供給路４ｉと連通される濾布供給口９ｉが形成されている。濾布９の下端部は濾板下方に設けられたリターンロール８０を介して、リターンロール８０よりも上方に設けられた巻き取りロール８１に巻き付けられるように構成されている。従って、巻き取りロール８１により濾布９を巻き取ると、濾布９は次第に下降しながら巻き取られていく。
【００３９】
これらの装置機構部に対して、図１２に示すように、スラリー供給手段、圧力水の供給手段、洗浄液（水等）の供給手段、圧縮空気供給手段および乾燥手段が接続される。具体的には、スラリーを一時的に貯留するスラリータンク２０が設置され、その貯留スラリーがスラリーポンプ２１によってスラリー入口１０に対して供給されるようになっている。スラリー入口１０はスラリータンク２０に対する直接接続にも切り替え可能なように配管されている。また、圧力水タンク６０が設置され、そこに貯留された水が圧力水ポンプ６１により圧力水入口１５Ａに供給されるように配管されている。圧力水タンク６０は圧力水出口１５Ｂに対しても連通されている。また、洗浄液タンク９０が設けられており、そこに貯留された洗浄液が洗浄ポンプ９１を介してヘッダ洗浄液入口１７に供給されるように配管され、ヘッダ洗浄液出口１８はスラリータンク２０に連通されている。さらにまた、エアコンプレッサ３０およびそこから供給される圧縮空気を一時的に貯留する圧縮空気タンク３１が設置されており、圧縮空気タンク３１の出側は圧縮空気入口１６に連通されている。
【００４０】
そして、本発明に従ってスラリー供給ヘッダＨに対しては、バルブ１９Ｖを有する乾燥空気等入口１９が設けられており、この入口１９を介して乾燥空気等の供給手段４０が連通されている。供給手段４０および乾燥空気等の具体例については前述第１の形態と同様である。
【００４１】
次に、上記装置を用いた脱水方法について図１３に基づき説明する。先ず、濾布９，９を上昇させ濾板４，４間に位置させた状態で、濾板４，４相互を接触させ、締付けシリンダを作動させて、濾板４，４相互の密着により濾板４，４間に濾室４Ｃを形成する。この状態で、濾布９のスラリー供給口９ｉと濾板額縁部のスラリー供給路４ｉとが連通される。次いで、スラリー入口バルブ１０Ｖを開け、ヘッダ洗浄液入口バルブ１７Ｖおよび出口バルブ１８Ｖ、圧縮空気入口バルブ１６Ｖを閉じた状態でスラリーポンプ２１を作動させ、スラリーを各濾室４Ｃの濾布９，９間に供給する。濾布９，９間に供給されたスラリーは、後から供給されてくるスラリーの供給圧により圧力を受け、液分が濾布９を介して濾布９外へ排出される。この濾液は濾液溝ｄを通り、濾液排出口４Ｆを介して濾液出口１２Ａより外部に排出される。
【００４２】
所定時間経過後にスラリー供給ポンプ２１を停止させ、圧力水ポンプ６１を作動させるとともに、圧力水入口バルブＶ５を開けてダイアフラム４Ｄ内へ圧力水を供給し、ダイアフラム４Ｄを膨出させる。これにより濾布９，９間のろ過ケーキはさらに圧搾されて低水分ケーキとなる。
【００４３】
濾過・圧搾が完了したならば、圧力水供給ポンプ６１を停止させるとともに、圧力水出口バルブＶ４を開けて、圧力水を圧力水タンク６０に返送する。また、スラリー入口バルブ１０Ｖを開けたままでスラリー入口バルブ１０Ｖの接続をスラリータンク２０に切り替えるとともに、洗浄液入口バルブ１７Ｖ、洗浄液出口バルブ１８Ｖおよび圧縮空気入口バルブ１６Ｖを開け、洗浄液供給ポンプ９１を作動させ、スラリー供給ヘッダＨ内に洗浄液および圧縮空気を供給し、ヘッダＨ内に残留したスラリーをスラリー供給経路を介してスラリータンク２０に返送する。ヘッダＨ内の洗浄が完了したら、洗浄液供給ポンプ９１を停止させるとともに洗浄液出口バルブ１８Ｖを閉じて、圧縮空気をスラリー供給経路を介して濾室４Ｃ内に供給し、濾液溝ｄに残留するスラリーを濾液排出口４Ｆを介して排出する。
【００４４】
かかるブロー工程が終了したならば、圧縮空気入口バルブ１６Ｖを閉じ圧縮空気の供給を停止して開枠を行う。すなわち、締め付けシリンダが開放された後、濾板駆動装置７により濾板４が離間移動され、開枠状態とされる。しかる後、巻き取りロール８１を駆動して、濾布を下降させ、リターンロール８０を介して上方に折り返して巻き取る。この折り返し（濾布の屈曲）により、ケーキＣが濾布９から剥離され下方のコンベヤ１３上に排出される。
【００４５】
かくして、上記各工程を１サイクルとして繰り返し脱水作業が行われる。そして、各サイクル毎または複数サイクル毎に、ケーキ排出工程と次の脱水作業における締付け工程との間において、本発明に係る濾布再生工程が行われる。すなわち図１４に示すように、ケーキ排出が完了したならば、一旦濾板４を閉枠した後、バルブ１０Ｖ，１６Ｖ〜１８Ｖを閉じ、バルブ１９Ｖを開けて乾燥空気等をスラリー供給ヘッダＨを介して濾布９，９間に供給する。この乾燥空気等の供給により、濾布に付着保持されたケーキが強制的に乾燥される。濾板を閉枠しなくても良いが、濾板を閉枠した方が良いことは前述のとおりである。所定時間経過し乾燥が完了したならば、ケーキ排出工程と同様に濾板４を開枠した後、巻き取りロール８１を駆動して、濾布を下降させ、リターンロール８０を介して上方に折り返して巻き取る。この折り返し（濾布の屈曲）により、濾布９表面および内部に対する乾燥ケーキの付着構造が破壊され、乾燥ケーキ片Ｃ１がボロボロと落下し排出される。
【００４６】
他方、図１５に示すように、各サイクル毎または複数サイクル毎に、ケーキ排出工程と次の脱水作業における締付け工程との間において（本発明の濾布再生工程を行う場合にはこれに先立って）、洗浄水を用いた従来の洗浄を行うこともできる。このため、図示形態では、リターンロール８０を通過する濾布９に対して洗浄液を噴射する洗浄液噴射配管１００が設けられている。洗浄液噴射配管１００は外部に設けられた洗浄液供給ポンプ９１に連通されている。
【００４７】
また、濾板下方に、シリンダ１１１により濾板４下方を覆う位置とその両側の退避位置との間でそれぞれ移動自在とされた一対のシュート１１０，１１０が設けられており、その下方にケーキの排出コンベア１３が設けられている。これらのシュート１１０，１１０は濾板４下方を覆う位置にあっては洗浄液を受けるパンとして機能するものであり、この機能のために下部に洗浄液出口１１２が設けられているものである。またシュート１１０は、退避位置にあっては、排出ケーキＣをコンベヤ１３上に案内するシュートとして機能するものである。
【００４８】
洗浄に際しては、ケーキ排出に伴い下降した濾布９，９を濾布駆動装置７０により上昇させる過程で、リターンロール８０，８０を通過する濾布９，９表面に対して洗浄液がスプレーされ、濾布９，９に付着したケーキが洗い流される。かかる洗浄液による洗浄を併用する場合、例えば、各サイクル毎に洗浄水による洗浄工程を行うとともに、必要に応じて又は定期的に（例えば一日、一週間または一ヶ月に一回）、上記本発明に係る濾布再生工程を行うことができる。
【００４９】
＜その他＞
上記各形態では、スラリー供給経路を利用して乾燥のための空気を供給するように構成しているが、他の給排経路を利用したり、別途専用の乾燥空気等の供給路を設けたりすることもできる。
【産業上の利用可能性】
【００５０】
本発明、フィルタープレス装置およびフィルタープレス装置を用いた脱水方法等、各種の濾布を用いた脱水装置および方法に適用できる。
【図面の簡単な説明】
【００５１】
【図１】第１の形態のフィルター機構部を示した説明図である。
【図２】第１の形態のスラリー供給手段等を示した説明図である。
【図３】第１の形態の脱水作業要領を示した説明図である。
【図４】第１の形態の濾布再生工程を示した説明図である。
【図５】第１の形態の洗浄工程を示した説明図である。
【図６】第２の形態のフィルター機構部を示した説明図である。
【図７】第２の形態のスラリー供給手段等を示した説明図である。
【図８】第２の形態の脱水作業要領を示した説明図である。
【図９】第２の形態の濾布再生工程を示した説明図である。
【図１０】第２の形態の洗浄工程を示した説明図である。
【図１１】第３の形態のフィルター機構部を示した説明図である。
【図１２】第３の形態のスラリー供給手段等を示した説明図である。
【図１３】第３の形態の脱水作業要領を示した説明図である。
【図１４】第３の形態の濾布再生工程を示した説明図である。
【図１５】第３の形態の洗浄工程を示した説明図である。
【図１６】乾燥空気等供給装置例を示すフロー図である。
【符号の説明】
【００５２】
１…フィルター機構部、４…濾板、９…濾布、４０…乾燥空気等供給装置。
【図１】
2005131508.tif 000003
【図２】
2005131508.tif 000004
【図３】
2005131508.tif 000005
【図４】
2005131508.tif 000006
【図５】
2005131508.tif 000007
【図６】
2005131508.tif 000008
【図７】
2005131508.tif 000009
【図８】
2005131508.tif 000010
【図９】
2005131508.tif 000011
【図１０】
2005131508.tif 000012
【図１１】
2005131508.tif 000013
【図１２】
2005131508.tif 000014
【図１３】
2005131508.tif 000015
【図１４】
2005131508.tif 000016
【図１５】
2005131508.tif 000017
【図１６】
2005131508.tif 000018